(57)【要約】【課題】立て看板自体の構造を改良することなく、また、商用電源を要することなく、所望した任意の場所に立設する立て看板を、簡単・確実に照明することのできる立て看板用照明装置を提供すること。【解決手段】所要幅の略箱状の筐体１１に立て看板Ｂ縁部が着脱可能に挿嵌される保持溝１５と看板面を照らす照明部１２とを設けた本体部１に、その照明部１２を制御する制御部３と電源である電池２とを内装する。【選択図】　　　　図１
2004117640.tif 000002
【特許請求の範囲】
【請求項１】
立て看板と着脱可能に係合する保持部と該看板面を照らす照明部とを備えた本体部に、該照明部を制御する制御部と電源である電池とが内装されていることを特徴とする立て看板用照明装置。
【請求項２】
前記本体部は、前記立て看板の幅寸法と略同幅又は若干幅広な寸法からなる略箱状の筐体を備えてなり、前記保持部は、該筐体下面に設けられ該立て看板縁部が挿嵌される保持溝を備えていると共に、前記照明部は、該筐体下面に凹設され該看板面を照射可能に構成されていることを特徴とする請求項１記載の立て看板用照明装置。
【請求項３】
前記保持部は、該保持溝に挿嵌された該立て看板を押圧させて当該装置を該立て看板に保持させるストッパを加えたことを特徴とする請求項２記載の立て看板用照明装置。
【請求項４】
前記本体部は、前記立て看板の幅寸法より若干幅広の寸法からなる略箱状の筐体を備えてなり、前記保持部は、該筐体に設けられ該立て看板が挿嵌される連通孔と該連通孔に挿嵌された該立て看板を押圧させて当該装置を該立て看板に保持させるストッパとを備えると共に、前記照明部は、該筐体上面又は／及び下面に凹設されて該立て看板内の任意の位置から該看板面を照射可能に構成されていることを特徴とする請求項１記載の立て看板用照明装置。
【発明の詳細な説明】
【０００１】
【発明の属する技術分野】
この発明は、立て看板用照明装置に関する。
【０００２】
【従来の技術】
屋外に設置される情報報知物の一つとして小型の立て看板がある。この立て看板は、主に、小売業者の売りだしセールなどを報知させる広告媒体として、あるいは選挙の時などの演説会場や通夜の会場等を案内させる報知媒体として用いられており、主に短期の情報を報知するものとして使用されている。
【０００３】
周知の通り、この立て看板は、容易に設置及び撤去可能なものであるが、その一方で、撤去を想定していない建造物的な大型の立て看板がある。この大型の立て看板は、小売業者や様々な施設等の案内を報知させたり、インパクトのある広告媒体として用いられており、その多くは夜間でも視認可能なように照明装置が取り付けられている（例えば、特許文献１参照）。
【０００４】
この照明装置は、電源を商用電源とし、看板面を照明する白熱灯や蛍光灯等が、鉄骨などで形成されたアームを介して、その大型の立て看板に取り付けられる構成となっているが、前者の立て看板用の照明装置は、本件発明者の知り得る範囲においてその存在はなく、また、照明機能を有した小型の立て看板もない。
【０００５】
【特許文献１】
特開平５−２７３９２６号公報　（第２頁、第１図）
【０００６】
【発明が解決しようとする課題】
そのため、使用態様によっては、甚だ不都合が生じる場合がある。
例えば、通夜会場の案内等に用いられる場合である。通夜というその儀式の性格から、夕方から夜にかけて行われる場合が極めて多い。街灯が設置されている都市部であれば、その看板面に描かれた会場案内等の視認は可能ではあるが、街灯がほとんどない郊外の場合、夜間故に暗くて看板を見逃しがちになり、用をなさない場合が往々にしてある。
【０００７】
そこで、仮に上記した大型の立て看板用の照明装置を採用したとする。しかしながら、この小型の立て看板は、周知の通り、ベニヤ板と角材、アルミ材等の軽量部材で構成されたものが多く、そのままの構成では看板上部が極めて重くなってしまい、その結果、設置に問題が生じたり、また、継続的な再利用を考慮していない構成の照明装置では取付性が悪い。また、この種の立て看板は、ある程度のまとまった数量の設置が一般的であることから、上記した照明装置ではコストがかさむ。もっとも、商用電源を採用していては、任意の設置場所での電源供給が現実的に不可能であるため、照明そのものができない。
すなわち、上記した照明装置をこの小型の立て看板にそのまま適用することはできない。
【０００８】
そこで本発明は、立て看板自体の構造を改良することなく、どのような場所でも立て看板を確実に照らすことのできる立て看板用照明装置を提供することを目的とし、さらに他に目的とする処は、立て看板への取り付け取り外しが容易にできる立て看板用照明装置を提供することにある。
【０００９】
【課題を解決するための手段】
上記課題を解決するために、本発明にかかる立て看板用照明装置は、下記の技術的手段を講じた。
【００１０】
すなわち、請求項１の発明は、立て看板と着脱可能に係合する保持部と該看板面を照らす照明部とを備えた本体部に、該照明部を制御する制御部と電源である電池とが内装されていることを特徴とする。
【００１１】
請求項２の発明は、請求項１において、前記本体部は、前記立て看板の幅寸法と略同幅又は若干幅広な寸法からなる略箱状の筐体を備えてなり、前記保持部は、該筐体下面に設けられ該立て看板縁部が挿嵌される保持溝を備えていると共に、前記照明部は、該筐体下面に凹設され該看板面を照射可能に構成されていることを特徴とする。
【００１２】
請求項３の発明は、請求項２において、前記保持部は、該保持溝に挿嵌された該立て看板を押圧させて当該装置を該立て看板に保持させるストッパを加えたことを特徴とする。
【００１３】
請求項４の発明は、請求項１において、前記本体部は、前記立て看板の幅寸法より若干幅広の寸法からなる略箱状の筐体を備えてなり、前記保持部は、該筐体に設けられ該立て看板が挿嵌される連通孔と該連通孔に挿嵌された該立て看板を押圧させて当該装置を該立て看板に保持させるストッパとを備えると共に、前記照明部は、該筐体上面又は／及び下面に凹設されて該立て看板内の任意の位置から該看板面を照射可能に構成されていることを特徴とする。
【００１４】
【発明の実施の形態】
次に、本発明の実施の形態を図１〜図４を用いて説明をする。図中、符号Ａは立て看板用照明装置を示す。
【００１５】
本実施形態における立て看板用照明装置Ａは、図１及び図２に示すように、本体部１と、電池２と、制御部３とを備えてなる。
【００１６】
本体部１は、立て看板Ｂの幅寸法より若干幅広で奥行き中途部を境に下方に向って略くの字状に所要角度曲がった外観形状略直方体状の筐体１１と、その筐体１１の下面長手方向に亘って凹設され反射板１３と蛍光灯１４とを備えた照明部１２と、その筐体１１と一体成形され立て看板Ｂ上縁部が挿嵌される所要深さの保持溝１５とを備えて構成される。
【００１７】
この保持溝１５は、立て看板Ｂの上部に、ぐらつくことなく当接支持されるような所要の大きさの角孔状を呈しており、また、筐体１１の曲がり角度は、立て看板Ｂの上部に支持された際に、看板面全域に蛍光灯１４の照射光が行き渡るような所要の角度となっている。
さらに、筐体１１を構成する部材は、特に限定するものではないが、プラスチックなどの合成樹脂部材が軽量となることから好ましいものである。
【００１８】
電池２は、蛍光灯１４を点灯させるための汎用の乾電池であり、フタ１６を有し筐体１１背面部に設けられた電池収納部１７に複数個接続された状態で収納されている。
制御部３は、蛍光灯１４に流れる電流を所定の電流値に抑えるための安定器と点灯管とを備え筐体１１内に収納されていると共に、蛍光灯１４を点灯及び消灯させる機械的な電源スイッチ１８が筐体側面に配設されている。
【００１９】
このように構成された本実施形態における立て看板用照明装置Ａは、立て看板Ｂと共に設置場所へ搬入し、所望の位置に立て看板Ｂを設置した後に、保持溝１５へ立て看板Ｂ上縁部を挿入させるだけで固定支持される。そして、電源スイッチ１８を入れることで蛍光灯１４が点灯し、立て看板Ｂ上部から看板面が照射される。
【００２０】
本実施形態では、立て看板Ｂ上部に当該照明装置Ａを簡単に取り付ける構成にしたから、どのような場所でも立て看板Ｂを簡単・確実に照らすことができるほかに、降雪による看板面への雪の付着や、降雨による看板面の汚れを防止する、いわゆる「ヒサシ」となることから極めて好適である。
【００２１】
以上、本実施形態における立て看板用照明装置を説明したが、このものに限定されず、例えば、図３に示したように、機械的な電源スイッチ１８に替えて光電スイッチ１８’を筐体上面に埋設し、電気的に制御部と接続して、辺りの明るさに応じて自動点灯・自動消灯させるように構成しても良い。
【００２２】
また、蛍光灯１４に替えて、電球、ＬＥＤ、ネオン管、などの他の発光部材で構成しても良いものであるが、なかでも、電力消費の少ないＬＥＤが好ましく、この場合、長手方向にＬＥＤを複数配設することで充分な照度を確保することが好ましいものである。
【００２３】
さらに図４に示したように、角孔状の保持溝１５に替えて長手方向両側面が開放された保持溝１５’でも良い。この場合、筐体１１’背面から溝部内に連通する螺子孔を設け、背面からボルトを螺子込み、立て看板Ｂ背面から押圧させて、当該装置を立て看板Ｂに挟着するようなストッパ４を設けることが好ましい。このように構成することで、立て看板Ｂ上縁部への取り付けのみならず、立て看板Ｂの側縁部への取り付けが可能となる。
【００２４】
また、筐体を立て看板の幅寸法より若干幅広にし、角孔状の保持溝に替えて角孔状の連通孔１９にし、上記と同様のストッパ４を設けて、立て看板内の任意の位置で固定可能に構成しても良い。さらに、照明部を、筐体上面又は／及び下面に凹設しても良い。なお、照明部を筐体上下面に凹設したものを図４において例示している。また、図示しないが、例えば、筐体の側面（立て看板と当接する側面）に鍵状のフック（固定金具）を設け、この固定金具によって筐体を立て看板に吊り下げるような構成としても良い。
【００２５】
【発明の効果】
本発明は、以上のように構成したから下記の有利な効果を奏する。
請求項１によれば、既存の立て看板と着脱可能に係合する保持部と該看板面を照らす照明部とを備えた本体部に、該照明部を制御する制御部と電源である電池とを内装する構成にしたから、商用電源を要することなく、どのような場所でも立て看板を確実に照らすことができる。
【００２６】
請求項２によれば、略箱状の筐体の下面に、立て看板縁部が挿嵌される保持溝を設けたから、立て看板への取り付け取り外しが容易にでき、また、筐体下面に看板面を照射する照明部を筐体から突出することなく凹設したから、蛍光灯、電球、ＬＥＤ、ネオン管などの発光部材を保護することができる。
また、立て看板上縁部に当該装置を取り付けた場合、筐体が、降雪による看板面への雪の付着や、降雨による看板面の汚れを防止することができる。
【００２７】
請求項３によれば、保持溝に挿嵌された立て看板を押圧させて当該装置を立て看板に保持させるストッパを加えたことにより、強固に立て看板に取り付けることができる。
また、角孔状の保持溝ではなく、長手方向両側面が開放された保持溝を採用した場合、このストッパを加えることにより、立て看板の側縁部へ強固に取り付けることが可能となって、変化に富んだ照明を行うことができる。
【００２８】
請求項４によれば、立て看板を挿通させる角孔状の連通孔とストッパを設け、立て看板内の任意の位置で固定可能に構成したことから、立て看板の任意の中途部からの照明をすることができる。さらに、照明部を、筐体上面又は／及び下面に凹設したことから、変化に富んだ照明を行うことができる。
【図面の簡単な説明】
【図１】本実施形態にかかる立て看板用照明装置の底面側斜視図である。
【図２】図１の（Ａ）−（Ａ）線に沿える拡大縦断面図である。
【図３】光電センサーの取り付けを例示した部分斜視図である。
【図４】立て看板に取り付けられた他の変形例の斜視図である。。
【符号の説明】
Ａ　立て看板用照明装置
１　本体部
１１　筐体
１２　照明部
１５　保持溝
１９連通孔
２　電池
３　制御部
Ｂ　立て看板
【図１】
2004117640.tif 000003
【図２】
2004117640.tif 000004
【図３】
2004117640.tif 000005
【図４】
2004117640.tif 000006